(57)【要約】【課題】コンテンツデータを、容易に転送先のコンテンツ管理に応じた記憶場所に転送する。【解決手段】音楽再生端末１３は、携帯型音楽再生装置１４に既に記憶されている音楽データの記憶場所となっているフォルダをもとに、音楽データの転送先フォルダを自動的に設定するようにしたことにより、ユーザに何ら煩わしい操作を行わせることなく、音楽データの転送先フォルダを、携帯型音楽再生装置１４のコンテンツ管理に応じたフォルダに設定することができ、かくして音楽データを、容易に転送先のコンテンツ管理に応じたフォルダに転送することができる。【選択図】図８
2007164852.tif 000002
【特許請求の範囲】
【請求項１】
複数のコンテンツデータを記憶する記憶部と、
外部機器と通信するための通信部と、
上記記憶部に記憶されているコンテンツデータを上記外部機器に転送するよう上記通信部を制御する制御部と
を具え、
上記制御部は、
上記外部機器から、当該外部機器へ転送するコンテンツデータと同種のコンテンツデータが記憶されている論理的な記憶場所を検出し、当該検出の結果に基づき、上記転送するコンテンツデータの転送先を設定して当該コンテンツデータを転送する
ことを特徴とする転送装置。
【請求項２】
上記外部機器は、
階層構造でなる論理的な記憶場所に上記コンテンツデータを記憶するようになされ、
上記制御部は、
上記外部機器から、上記外部機器へ転送するコンテンツデータと同種のコンテンツデータが記憶されている論理的な記憶場所を検出した結果、同一階層の複数の記憶場所を検出した場合、当該同一階層の複数の記憶場所のいずれかを、または当該同一階層に新たに生成した記憶場所を、上記転送するコンテンツデータの転送先に設定して当該コンテンツデータを転送する
ことを特徴とする請求項１に記載の転送装置。
【請求項３】
上記転送するコンテンツデータには、当該コンテンツデータに関する関連情報が付加され、
上記制御部は、
上記転送するコンテンツデータに付加された上記関連情報に基づき、上記同一階層に新たな記憶場所を生成する
ことを特徴とする請求項２に記載の転送装置。
【請求項４】
表示部を具え、
上記制御部は、
上記同一階層の複数の記憶場所を検出した場合、当該複数の記憶場所を上記表示部に表示して、表示した複数の記憶場所のいずれかをユーザに選択させ、ユーザが選択した記憶場所を、上記転送するコンテンツデータの転送先に設定して当該コンテンツデータを転送する
ことを特徴とする請求項２に記載の転送装置。
【請求項５】
上記制御部は、
上記外部機器から、当該外部機器へ転送するコンテンツデータと同フォーマットのコンテンツデータが記憶されている論理的な記憶場所を検出し、当該検出結果に基づき、上記転送するコンテンツデータの転送先を設定して当該コンテンツデータを転送する
ことを特徴とする請求項１に記載の転送装置。
【請求項６】
上記外部機器は、機器毎に固有の機器識別情報を有し、
上記制御部は、
上記転送するコンテンツデータの転送先を設定した際、当該転送先と上記外部機器から取得した上記機器識別情報とを対応付けて上記記憶部に記憶する
ことを特徴とする請求項１に記載の転送装置。
【請求項７】
複数のコンテンツデータを記憶する記憶部と、
外部機器と通信するための通信部と、
上記コンテンツデータのフォーマットを変換する変換部と、
上記記憶部に記憶されているコンテンツデータを上記外部機器に転送するよう上記通信部を制御する制御部と
を具え、
上記制御部は、
上記外部機器から、当該外部機器に記憶されているコンテンツデータを検索し、当該検索の結果見つかったコンテンツデータのフォーマットが、上記外部機器に転送するコンテンツデータのフォーマットと異なる場合には、上記変換部により当該転送するコンテンツデータのフォーマットを上記外部機器に記憶されているコンテンツデータのフォーマットに変換してから、上記外部機器に転送する
ことを特徴とする転送装置。
【請求項８】
上記変換部は、
コンテンツデータに対する圧縮符号化処理を行う圧縮符号化部、及びコンテンツデータに対する復号処理を行う復号部でなる
ことを特徴とする請求項７に記載の転送装置。
【請求項９】
上記制御部は、
上記外部機器から、上記検索の結果得られたコンテンツデータの論理的な記憶場所を検出し、当該検出の結果に基づき、上記転送するコンテンツデータの転送先を設定して当該コンテンツデータを転送する
ことを特徴とする請求項７に記載の転送装置。
【請求項１０】
通信可能な外部機器から、当該外部機器へ転送するコンテンツデータと同種のコンテンツデータが記憶されている論理的な記憶場所を検出する検出ステップと、
上記検出ステップでの検出の結果に基づき、上記転送するコンテンツデータの転送先を設定する設定ステップと、
上記設定ステップで設定した上記転送先にコンテンツデータを転送する転送ステップと
を具えることを特徴とする転送方法。
【請求項１１】
通信可能な外部機器から、当該外部機器に記憶されているコンテンツデータを検索する検索ステップと、
上記検索ステップでの検索の結果見つかったコンテンツデータのフォーマットが、上記外部機器に転送するコンテンツデータのフォーマットと異なる場合には、当該転送するコンテンツデータのフォーマットを、上記外部機器に記憶されているコンテンツデータのフォーマットに変換する変換ステップと、
上記外部機器にコンテンツデータを転送する転送ステップと
を具えることを特徴とする転送方法。
【請求項１２】
転送装置に対して、
通信可能な外部機器から、当該外部機器へ転送するコンテンツデータと同種のコンテンツデータが記憶されている論理的な記憶場所を検出する検出ステップと、
上記検出ステップでの検出の結果に基づき、上記転送するコンテンツデータの転送先を設定する設定ステップと、
上記設定ステップで設定した上記転送先にコンテンツデータを転送する転送ステップと
を実行させることを特徴とする転送プログラム。
【請求項１３】
転送装置に対して、
通信可能な外部機器から、当該外部機器に記憶されているコンテンツデータを検索する検索ステップと、
上記検索ステップでの検索の結果見つかったコンテンツデータのフォーマットが、上記外部機器に転送するコンテンツデータのフォーマットと異なる場合には、当該転送するコンテンツデータのフォーマットを、上記外部機器に記憶されているコンテンツデータのフォーマットに変換する変換ステップと、
上記外部機器にコンテンツデータを転送する転送ステップと
を実行させることを特徴とする転送プログラム。
【発明の詳細な説明】
【技術分野】
【０００１】
本発明は転送装置、転送方法及び転送プログラムに関し、例えば、コンテンツデータを記憶保持するコンテンツ記憶装置からコンテンツ再生装置に対してコンテンツデータを転送する際に適用して好適なものである。
【背景技術】
【０００２】
従来、コンテンツ記憶装置は、記憶しているコンテンツデータの中からコンテンツ再生装置に転送するコンテンツデータがユーザにより選択されると、この選択されたコンテンツデータを識別するコンテンツデータ識別情報を並べた転送リストを生成する。そしてこのコンテンツ記憶装置は、コンテンツ再生装置が接続されると、生成した転送リスト内のコンテンツデータ識別情報により識別されるコンテンツデータを、コンテンツ再生装置に対して転送するようになされている（例えば、特許文献１参照）。
【０００３】
コンテンツ再生装置は、コンテンツ記憶装置から転送されてくるコンテンツデータを所定の記憶部に記憶し、再生時にこの記憶部からコンテンツデータを読み出すようになされている。実際上、この記憶部にはコンテンツデータの論理的な記憶場所となる１以上のフォルダ（ディレクトリなどとも呼ばれる）が生成され、コンテンツ再生装置は、このフォルダ内にコンテンツデータを記憶するようになされている。
【０００４】
つまり、コンテンツ再生装置は、その記憶部にコンテンツデータの記憶管理に合わせたフォルダ構成を構築し、コンテンツデータをフォルダ単位で分類、整理するようになされている。
【特許文献１】特開２００１−９３２２６公報
【発明の開示】
【発明が解決しようとする課題】
【０００５】
ところで、上述したコンテンツ再生装置では、コンテンツデータをフォルダ単位で分類、整理して記憶管理していることから、例えば音楽データはフォルダ「Ｍｕｓｉｃ」に記憶、映像データはフォルダ「Ｍｏｖｉｅ」に記憶というように、コンテンツデータを記憶するフォルダが予め設定されている場合がある。
【０００６】
しかしながら従来では、コンテンツ記憶装置からコンテンツ再生装置へコンテンツデータを転送するときに、コンテンツデータの転送先フォルダをユーザに指定させるようになされていたため、ユーザがコンテンツ再生装置のフォルダ構成（すなわちコンテンツ管理）を把握していないと、どのフォルダがコンテンツデータを記憶させるフォルダとして設定されているのか分からず、結果として、転送先フォルダの指定を間違えることがあった。
【０００７】
実際上、転送先フォルダの指定を間違えると、コンテンツ再生装置では、転送されてきたコンテンツデータを認識しなくなるだけでなく再生できなくなることもあり、また、仮に再生できるとしても、転送先フォルダをユーザが覚えておき、再生時にこの転送先フォルダをユーザが指定するといった煩雑な操作をユーザに行わせる必要があった。
【０００８】
一方で、転送するコンテンツデータをコンテンツ再生装置の設定されたフォルダに記憶させる専用アプリケーションを、コンテンツ記憶装置にインストールしておき、コンテンツ記憶装置がこの専用アプリケーションにしたがって、コンテンツデータをコンテンツ再生装置の設定されたフォルダに転送する方法もある。
【０００９】
しかしながら、コンテンツデータをどのフォルダに記憶させるのかというコンテンツ管理は、例えばコンテンツ再生装置の種類やバージョン毎に異なるため、実際上、これら全てのコンテンツ再生装置に対応する専用アプリケーションをコンテンツ記憶装置にインストールしておくことは困難である。よって、コンテンツ記憶装置にインストールされている専用アプリケーションに対応していないコンテンツ再生装置にコンテンツデータを転送するときには、結局のところ、ユーザに転送先フォルダを指定させなければならなかった。
【００１０】
このように従来では、転送先であるコンテンツ再生装置のコンテンツ管理に応じた記憶場所に、コンテンツデータを転送して記憶させるには、コンテンツ再生装置でのコンテンツ管理をユーザが把握して、このコンテンツ管理に応じた記憶場所をコンテンツデータの転送先として指定しなければならず、結果として、コンテンツデータを、容易に転送先であるコンテンツ再生装置のコンテンツ管理に応じた記憶場所に転送することができないという問題があった。
【００１１】
本発明は以上の点を考慮してなされたもので、コンテンツデータを、容易に転送先のコンテンツ管理に応じた記憶場所に転送し得る転送装置、転送方法及び転送プログラムを提案しようとするものである。
【課題を解決するための手段】
【００１２】
かかる課題を解決するため本発明においては、複数のコンテンツデータを記憶する記憶部と、外部機器と通信するための通信部と、記憶部に記憶されているコンテンツデータを外部機器に転送するよう通信部を制御する制御部とを設け、制御部が、外部機器から、当該外部機器へ転送するコンテンツデータと同種のコンテンツデータが記憶されている記憶場所を検出し、当該検出結果に基づき、転送するコンテンツデータの転送先を設定して当該コンテンツデータを転送するようにした。
【００１３】
このように、外部機器に既に記憶されているコンテンツデータの記憶場所をもとに、コンテンツデータの転送先を自動的に設定するようにしたことにより、ユーザに何ら煩わしい操作を行わせることなく、コンテンツデータの転送先を、外部機器のコンテンツ管理に応じた記憶場所に設定することができる。
【発明の効果】
【００１４】
本発明によれば、外部機器に既に記憶されているコンテンツデータの記憶場所をもとに、コンテンツデータの転送先を自動的に設定するようにしたことにより、ユーザに何ら煩わしい操作を行わせることなく、コンテンツデータの転送先を、外部機器のコンテンツ管理に応じた記憶場所に設定することができ、かくして、コンテンツデータを、容易に転送先のコンテンツ管理に応じた記憶場所に転送し得る転送装置、転送方法及び転送プログラムを実現できる。
【発明を実施するための最良の形態】
【００１５】
以下図面について、本発明の一実施の形態を詳述する。
【００１６】
（１）第１の実施の形態
（１−１）概要
図１を用いて、本発明の第１の実施の形態の概要を説明する。ちなみにこの概要を説明した後、第１の実施の形態を具体的に説明する。
【００１７】
図１に示す転送装置１は、複数のコンテンツデータを記憶する記憶部２と、外部機器と通信するための通信部３と、記憶部２に記憶されているコンテンツデータを外部機器に転送するよう通信部３を制御する制御部４とを有している。そしてこの転送装置１の制御部４は、外部機器から、この外部機器へ転送するコンテンツデータと同種のコンテンツデータが記憶されている論理的な記憶場所を検出し、この検出の結果に基づき、転送するコンテンツデータの転送先を設定してコンテンツデータを転送するようになされている。
【００１８】
このように、転送装置１では、外部機器に既に記憶されているコンテンツデータの記憶場所をもとに、コンテンツデータの転送先を自動的に設定するようにしたことにより、ユーザに何ら煩わしい操作を行わせることなく、コンテンツデータの転送先を、外部機器のコンテンツ管理に応じた記憶場所に設定することができる。
【００１９】
またこの転送装置１には、表示部５が設けられ、例えば、外部機器が階層構造でなる論理的な記憶場所にコンテンツデータを記憶するようになされて、この外部機器から、外部機器へ転送するコンテンツデータと同種のコンテンツデータが記憶されている記憶場所を検出した結果、同一階層の複数の記憶場所を検出した場合、制御部４は、この同一階層の複数の記憶場所を表示部５に表示して、表示した複数の記憶場所のいずれかをユーザに選択させ、ユーザが選択した記憶場所を、転送するコンテンツデータの転送先に設定してコンテンツデータを転送するようにもなされている。
【００２０】
さらにこの転送装置１には、コンテンツデータのフォーマットを変換する変換部６が設けられ、制御部４は、外部機器から、この外部機器に記憶されているコンテンツデータを検索し、この検索の結果見つかったコンテンツデータのフォーマットが、外部機器に転送するコンテンツデータのフォーマットと異なる場合には、変換部６により転送するコンテンツデータのフォーマットを外部機器に記憶されているコンテンツデータのフォーマットに変換してから外部機器に転送するようにもなされている。
【００２１】
（１−２）音楽転送システムの構成
図２において、１０は全体として、上述した転送装置１の具体的な適用例である音楽転送システムを示し、音楽を提供する音楽提供サーバ１１からネットワーク１２を介して配信される音楽データを音楽再生端末１３で受信して記憶保持し、さらにこの音楽再生端末１３に携帯型音楽再生装置１４が接続されると、音楽再生端末１３が記憶保持している音楽データを携帯型音楽再生装置１４に転送してこの携帯型音楽再生装置１４に記憶保持させるようになされている。そして、携帯型音楽再生装置１４は、例えば、音楽再生端末１３から外された状態で、ユーザによる再生操作が行われると、装置本体に接続されたイヤホンＥＰを介して、音楽データに基づく音楽を出力するようになされている。ちなみにこの場合、音楽再生端末１３が、上述した転送装置１に相当する。
【００２２】
（１−３）音楽再生端末及び携帯型音楽再生装置の構成
ここで、音楽再生端末１３及び携帯型音楽再生装置１４の構成について順に説明する。まず図３を用いて、音楽再生端末１３の構成について説明する。音楽再生端末１３は、制御部２０が、ハードディスクなどのストレージデバイスでなる記憶媒体２１またはＲＯＭ（Read Only Memory）などでなる読出専用記憶部２２から読み出したプログラムに従って全体を統括制御すると共に各種処理を実行するようになされ、この各種処理で扱うデータ及びプログラムを、ＲＡＭ（Random Access Memory）などでなる一次記憶部２３に対し必要に応じて記憶させるようになされている。
【００２３】
すなわち制御部２０は、操作部２４を介して、ネットワーク１２上の音楽提供サーバ１１から配信される音楽データを取得する操作がユーザにより行われたことを認識すると、これに応じて、配信要求信号を、通信部２５を介してネットワーク１２上の音楽提供サーバ１１に送信する。そして制御部２０は、配信要求信号に応じて音楽提供サーバ１１から送信されてくる音楽データを、通信部２５を介して受信し、この音楽データを記憶媒体２１に記憶する。
【００２４】
また制御部２０は、操作部２４を介して、記憶媒体２１に記憶した音楽データに対する再生操作が行われたことを認識すると、これに応じて、記憶媒体２１から音楽データを読み出し、これを音声処理部２６に入力する。音声処理部２６は、制御部２０の制御のもと、音楽データに対してデコード（復号）処理、デジタルアナログ変換処理、増幅処理といった所定の音声処理を施すことにより音声信号を得、この音声信号に基づく音楽を音声出力部２８から出力する。
【００２５】
さらに制御部２０は、操作部２４を介して、記憶媒体２１に記憶した音楽データのなかから携帯型音楽再生装置１４に転送する音楽データ（以下、これを転送音楽データとも呼ぶ）を指定する操作が行われたことを認識すると、これに応じて、転送音楽データを示す転送リストを生成して、これを記憶媒体２１に記憶する。そして制御部２０は、外部接続部２９を介して携帯型音楽再生装置１４が接続されると、記憶媒体２１に記憶してある転送リストに基づき、記憶媒体２１から転送音楽データを読み出して、これを外部接続部２９を介して携帯型音楽再生装置１４に転送するようになされている。
【００２６】
このようにして音楽再生端末１３は、音楽提供サーバ１１から音楽データを取得して記憶媒体２１に記憶し、この記憶媒体２１に記憶した音楽データを再生し、さらにこの記憶媒体２１に記憶した音楽データを携帯型音楽再生装置１４に転送するようになされている。
【００２７】
次に、図４を用いて、携帯型音楽再生装置１４の構成について説明する。携帯型音楽再生装置１４は、制御部３０が、ハードディスクなどのストレージデバイスでなる記憶媒体３１またはＲＯＭなどでなる読出専用記憶部３２から読み出したプログラムに従って全体を統括制御すると共に各種処理を実行するようになされ、この各種処理で扱うデータ及びプログラムを、ＲＡＭなどでなる一次記憶部３３に対し必要に応じて記憶させるようになされている。また読出専用記憶部３２には、出荷時に、この携帯型音楽再生装置１４を識別可能な装置ＩＤが書き込まれるようにもなされている。さらにこの携帯型音楽再生装置１４は、外部接続部３５を介して接続された音楽再生端末１３から転送されてくる音楽データを記憶媒体３１に記憶するようになされている。
【００２８】
そして制御部３０は、音楽再生端末１３から外され、操作部３４を介して音楽データに対する再生操作が行われたことを認識すると、これに応じて、記憶媒体３１から音楽データを読み出し、これを音声処理部３６に入力する。音声処理部３６は、制御部３０の制御のもと、音楽データに対してデコード（復号）処理、デジタルアナログ変換処理、増幅処理といった所定の音声処理を施すことにより音声信号を得、この音声信号に基づく音楽を音声出力端子３７に接続されたイヤホンＥＰから出力する。
【００２９】
また制御部３０は、記憶媒体３１に記憶している音楽データに付加された関連情報（タイトル、アルバム名、アーティスト名、再生時間、フォーマット、ビットレートなど）をもとに、記憶媒体３１に記憶している音楽データのタイトルリストや、再生している音楽データのタイトル、アーティスト名、再生時間、フォーマット、ビットレートなどの各種情報を表示部３８に表示するようにもなされている。
【００３０】
このようにして携帯型音楽再生装置１４は、音楽再生端末１３から転送されてくる音楽データを記憶媒体３１に記憶し、この記憶媒体３１に記憶した音楽データを再生するようになされている。
【００３１】
（１−４）携帯型音楽再生装置でのコンテンツ管理
次に、携帯型音楽再生装置１４でのコンテンツ管理について具体的に説明する。上述したように、携帯型音楽再生装置１４は、コンテンツデータである音楽データを記憶媒体３１で記憶管理するようになされている。実際上、携帯型音楽再生装置１４は、図５に示すように、記憶媒体３１に対して、ｒｏｏｔフォルダＦｏ１内にｍｕｓｉｃフォルダＦｏ２を生成するようにした階層的なフォルダ構成を構築し、このｍｕｓｉｃフォルダＦｏ２内に、音楽データをファイル（以下、これを音楽ファイルとも呼ぶ）Ｍｆとして記憶するようなされている。
【００３２】
すなわち携帯型音楽再生装置１４では、音楽ファイルＭｆの記憶場所がｍｕｓｉｃフォルダＦｏ２に設定され、このｍｕｓｉｃフォルダＦｏ２内に記憶された例えば音楽ファイルＭｆ１、Ｍｆ２、Ｍｆ３、…を再生対象の音楽ファイルＭｆとして認識するようになされている。よって、携帯型音楽再生装置１４では、このｍｕｓｉｃフォルダＦｏ２に記憶された音楽ファイルＭｆ１、Ｍｆ２、Ｍｆ３、…が再生可能な音楽ファイルＭｆとなる。ちなみに、ここでは、一例として、１音楽ファイルＭｆが１楽曲分の音楽データであるとする。
【００３３】
（１−５）音楽データの転送
次に、音楽再生端末１３から携帯型音楽再生装置１４に対して音楽データを転送する場合について具体的に説明する。ちなみに、転送前の音楽再生端末１３は、その記憶媒体３１に、音楽提供サーバ１１から提供された複数の音楽データを記憶しているとする。また携帯型音楽再生装置１４は、以前に、音楽再生端末１３以外の機器に接続されたことがあり、この機器にインストールされた専用アプリケーションによって、この機器から転送された例えば３つの音楽データを、図６（Ａ）に示すように、それぞれ音楽ファイルＭｆ１、Ｍｆ２、Ｍｆ３として記憶媒体３１のｍｕｓｉｃフォルダＦｏ２内に記憶しているとする。
【００３４】
このような状況下において、音楽再生端末１３は、携帯型音楽再生装置１４が接続されると、まず携帯型音楽再生装置１４の記憶媒体３１に記憶されている音楽ファイルＭｆを検索する。実際には、音楽再生端末１３が、携帯型音楽再生装置１４に対して記憶媒体３１に記憶されている音楽ファイルＭｆを検索するよう要求することで、携帯型音楽再生装置１４で音楽ファイルＭｆの検索が行われる。
【００３５】
この検索の結果、図６（Ｂ）に示すように、ｍｕｓｉｃフォルダＦｏ２内に記憶された音楽ファイルＭｆ１（「001.mp3」）、Ｍｆ２（「002.mp3」）及びＭｆ３（「003.mp3」）が見つかると、携帯型音楽再生装置１４は、見つかった音楽ファイルＭｆ１の絶対パス「./root/music/001.mp3」、音楽ファイルＭｆ２の絶対パス「./root/music/002.mp3」及び音楽ファイルＭｆ３の絶対パス「./root/music/003.mp3」を検索結果として音楽再生端末１３に返す。
【００３６】
音楽再生端末１３は、検索結果として携帯型音楽再生装置１４から返された絶対パス「./root/music/001.mp3」、「./root/music/002.mp3」及び「./root/music/003.mp3」を例えば記憶媒体２１に記憶する。さらに音楽再生端末１３は、この絶対パス「./root/music/001.mp3」、「./root/music/002.mp3」及び「./root/music/003.mp3」を解析することで、携帯型音楽再生装置１４に設定されている音楽ファイルＭｆ（この場合「***.mp3」）の記憶場所が「./root/music/」であること、すなわちｍｕｓｉｃフォルダＦｏ２内であると判断し、このｍｕｓｉｃフォルダＦｏ２を、携帯型音楽再生装置１４に音楽データを転送する際の転送先フォルダに設定する。
【００３７】
そして音楽再生端末１３は、ユーザにより携帯型音楽再生装置１４に転送するよう指示された音楽データを記憶媒体２１から読み出し、この音楽データを、転送先フォルダに設定した携帯型音楽再生装置１４のｍｕｓｉｃフォルダＦｏ２に転送する。この結果、図７（Ａ）及び（Ｂ）に示すように、携帯型音楽再生装置１４のｍｕｓｉｃフォルダＦｏ２内（「./root/music/」）に、音楽再生端末１３から転送されてきた音楽データが、例えば新たな音楽ファイルＭｆ４（「004.mp3」）として記憶される。
【００３８】
このように、音楽再生端末１３は、携帯型音楽再生装置１４に既に記憶されている音楽ファイルＭｆを検索して、この音楽ファイルＭｆが記憶されているフォルダを検出することで、携帯型音楽再生装置１４で音楽ファイルＭｆを記憶するよう設定されているフォルダを特定し、この特定したフォルダ（この場合、ｍｕｓｉｃフォルダＦｏ２）に音楽データを転送するようにした。これにより、音楽再生端末１３は、携帯型音楽再生装置１４に転送する音楽データを、携帯型音楽再生装置１４に既に記憶されている音楽ファイルＭｆと同じフォルダ、すなわち携帯型音楽再生装置１４で音楽ファイルＭｆを記憶するよう設定されているフォルダに転送することができる。
【００３９】
（１−６）音楽データの転送処理手順
次に、上述した、音楽再生端末１３から携帯型音楽再生装置１４への音楽データを転送する処理手順について、図８のシーケンスチャートを用いて説明する。ちなみに、この転送処理手順は、音楽再生端末１３の制御部２０が記憶媒体２１または読出専用記憶部２２から読み出したプログラムに従って実行すると共に、携帯型音楽再生装置１４の制御部３０が記憶媒体３１または読出専用記憶部３２から読み出したプログラムに従って実行するシーケンスである。また、この転送処理手順の開始前に、音楽再生端末１３と携帯型音楽再生装置１４とが接続された状態であり、さらに携帯型音楽再生装置１４には、記憶媒体３１のｍｕｓｉｃフォルダＦｏ２内（「./root/music/」）に音楽ファイルＭｆ１（「001.mp3」）、Ｍｆ２（「002.mp3」）、Ｍｆ３（「003.mp3」）が既に記憶されているとする。
【００４０】
図８に示すように、音楽再生端末１３の制御部２０は、記憶媒体２１に記憶保持している音楽データのなかから携帯型音楽再生装置１４に転送する音楽データが指定された状態で、この音楽データを転送するようユーザ操作が行われたことを認識すると、ステップＳＰ１において、携帯型音楽再生装置１４に対して記憶媒体３１に記憶されている音楽ファイルＭｆを検索するよう要求する検索要求を送る。
【００４１】
携帯型音楽再生装置１４の制御部３０は、音楽再生端末１３から検索要求を受けると、ステップＳＰ２において、この検索要求に応じて記憶媒体３１から音楽ファイルＭｆを検索して、次のステップＳＰ３に移る。ステップＳＰ３において、携帯型音楽再生装置１４は、検索の結果見つかった音楽ファイルＭｆ１（「001.mp3」）、Ｍｆ２（「002.mp3」）及びＭｆ３（「003.mp3」）のそれぞれの絶対パス「./root/music/001.mp3」、「./root/music/002.mp3」及び「./root/music/003.mp3」を検索結果として、音楽再生端末１３に返す。
【００４２】
音楽再生端末１３の制御部２０は、携帯型音楽再生装置１４から検索結果が返されると、ステップＳＰ４において、この検索結果が示す絶対パス「./root/music/001.mp3」、「./root/music/002.mp3」及び「./root/music/003.mp3」から、携帯型音楽再生装置１４で検索された音楽ファイルＭｆ１（「001.mp3」）、Ｍｆ２（「002.mp3」）及びＭｆ３（「003.mp3」）が、絶対パス「./root/music/」により示されるｍｕｓｉｃフォルダＦｏ２内に記憶されていると判断して、次のステップＳＰ５に移る。
【００４３】
ステップＳＰ５において、音楽再生端末１３の制御部２０は、ステップＳＰ４で判断したｍｕｓｉｃフォルダＦｏ２を、音楽データの転送先フォルダに設定して、次のステップＳＰ６に移る。ステップＳＰ６において、音楽再生端末１３の制御部２０は、記憶媒体２１から、携帯型音楽再生装置１４に転送するよう指定された音楽データを読み出し、これを転送先フォルダに設定した携帯型音楽再生装置１４のｍｕｓｉｃフォルダＦｏ２に転送する。
【００４４】
この結果、ステップＳＰ７において、音楽再生端末１３から転送されてきた音楽データが、携帯型音楽再生装置１４のｍｕｓｉｃフォルダＦｏ２内に音楽ファイルＭｆとして記憶される。
【００４５】
このような転送処理手順によって、音楽再生端末１３の制御部２０及び携帯型音楽再生装置１４の制御部３０は、音楽再生端末１３から携帯型音楽再生装置１４へ音楽データを転送するようになされている。
【００４６】
（１−７）第１の実施の形態による動作及び効果
以上の構成において音楽再生端末１３は、音楽データを携帯型音楽再生装置１４に転送する前に、携帯型音楽再生装置１４から、携帯型音楽再生装置１４に既に記憶されている音楽ファイルＭｆの記憶場所であるｍｕｓｉｃフォルダＦｏ２を検出して、この検出したｍｕｓｉｃフォルダＦｏ２を、転送する音楽データの転送先フォルダに設定する。そして音楽再生端末１３は、転送先フォルダに設定した携帯型音楽再生装置１４のｍｕｓｉｃフォルダＦｏ２に音楽データを転送する。
【００４７】
こうすることで音楽再生端末１３は、携帯型音楽再生装置１４に転送する音楽データを、携帯型音楽再生装置１４に既に記憶されている音楽ファイルＭｆと同じｍｕｓｉｃフォルダＦｏ２内に記憶させることができる。
【００４８】
すなわち音楽再生端末１３は、携帯型音楽再生装置１４がどのフォルダに音楽ファイルＭｆを記憶させているのかを検出することにより、ユーザに何ら煩わしい操作を行わせることなく、携帯型音楽再生装置１４のコンテンツ管理を自動的に認識して、このコンテンツ管理に応じたフォルダ（ここでは、ｍｕｓｉｃフォルダＦｏ２）に音楽データを転送することができる。
【００４９】
また、このように音楽再生端末１３は、携帯型音楽再生装置１４のコンテンツ管理に応じたフォルダに音楽データを転送することができるので、転送した音楽データが携帯型音楽再生装置１４で認識されなくなる状況、及び再生できなくなる状況を回避することができ、結果として、転送した音楽データを確実に携帯型音楽再生装置１４で再生できるようにすることもできる。
【００５０】
以上の構成によれば、携帯型音楽再生装置１４に既に記憶されている音楽データの記憶場所となっているフォルダをもとに、音楽データの転送先フォルダを自動的に設定するようにしたことにより、ユーザに何ら煩わしい操作を行わせることなく、音楽データの転送先フォルダを、携帯型音楽再生装置１４のコンテンツ管理に応じたフォルダに設定することができ、かくして音楽データを、容易に転送先のコンテンツ管理に応じたフォルダに転送し得る転送装置、転送方法及び転送プログラムを実現できる。
【００５１】
ところで、この第１の実施の形態では、図５で説明したように、携帯型音楽再生装置１４が、その記憶媒体３１の１フォルダであるｍｕｓｉｃフォルダＦｏ２内に音楽ファイルＭｆを記憶するようにしてコンテンツ管理するようになされている場合について述べたが、これに限らず、携帯型音楽再生装置１４が、例えば図９に示すように、ｍｕｓｉｃフォルダＦｏ２内にａｌｂｕｍフォルダＦｏ３ＡとａｌｂｕｍフォルダＦｏ３Ｂとを生成して、収録アルバム毎に音楽ファイルＭｆをこれらａｌｂｕｍフォルダＦｏ３Ａ内とａｌｂｕｍフォルダＦｏ３Ｂ内とに分けて記憶するようにしてコンテンツ管理するようになされていてもよい。
【００５２】
すなわち携帯型音楽再生装置１４が、ある同一階層に生成した複数のフォルダ内に、音楽ファイルＭｆを記憶するようにしてコンテンツ管理するようになされていてもよく、この場合の、音楽再生端末１３による転送先フォルダの設定方法について、以下に説明する。
【００５３】
まず、一例として、携帯型音楽再生装置１４には、記憶媒体３１のｍｕｓｉｃフォルダＦｏ２内に、ａｌｕｂｕｍフォルダＦｏ３Ａ（「album01」）とａｌｂｕｍフォルダＦｏ３Ｂ（「album02」）とが生成され、さらにａｌｂｕｍフォルダＦｏ３Ａ内に、音楽ファイルＭｆ１Ａ（「001.mp3」）及びＭｆ２Ａ（「002.mp3」）が記憶され、ａｌｂｕｍフォルダＦｏ３Ｂ内に、音楽ファイルＭｆ１Ｂ（「001.mp3」）及びＭｆ２Ｂ（「002.mp3」）が既に記憶されているとする。
【００５４】
このような状況下で、音楽再生端末１３は、携帯型音楽再生装置１４に音楽データを転送するようユーザ操作が行われたことを認識すると、上述した転送処理手順（図８）と同様にして、携帯型音楽再生装置１４に音楽ファイルＭｆを検索させ、その検索結果として携帯型音楽再生装置１４から返される音楽ファイルＭｆの絶対パスを受け取る。この場合、検索結果として得られる絶対パスは、音楽ファイルＭｆ１Ａの絶対パス「./root/music/album01/001.mp3」と、音楽ファイルＭｆ２Ａの絶対パス「./root/music/album01/002.mp3」と、音楽ファイルＭｆ１Ｂの絶対パス「./root/music/album02/001.mp3」と、音楽ファイルＭｆ２Ｂの絶対パス「./root/music/album02/002.mp3」とになる。
【００５５】
音楽再生端末１３は、これらの絶対パスを解析することで、携帯型音楽再生装置１４に設定されている音楽ファイルＭｆ（この場合「***.mp3」）の記憶場所が「./root/music/」直下のフォルダ内であること、すなわちｍｕｓｉｃフォルダＦｏ２の１階層下のフォルダ内であると判断する。
【００５６】
よって、音楽再生端末１３は、例えば、ｍｕｓｉｃフォルダＦｏ２の１階層下のフォルダの１つであるａｌｂｕｍフォルダＦｏ３Ａを、携帯型音楽再生装置１４に音楽データを転送する際の転送先フォルダに設定して音楽データを転送する。この結果、例えば、図１０（Ａ）に示すように、音楽再生端末１３から転送されてきた音楽データが、携帯型音楽再生装置１４のａｌｂｕｍフォルダＦｏ３Ａ内（「./root/music/album01/」）に新たな音楽ファイルＭｆ３Ａ（「003.mp3」）として記憶される。
【００５７】
また、ａｌｂｕｍフォルダＦｏ３Ａに限らず、音楽再生端末１３が、このａｌｂｕｍフォルダＦｏ３Ａと同一階層のａｌｂｕｍフォルダＦｏ３Ｂを転送先フォルダとして設定してもよいし、図１０（Ｂ）に示すように、ｍｕｓｉｃフォルダＦｏ２の下層（つまりａｌｂｕｍフォルダＦｏ３Ａ及びａｌｂｕｍフォルダＦｏ３Ｂと同一階層）に新たなａｌｂｕｍフォルダＦｏ３Ｃ（「album03」）を携帯型音楽再生装置１４に生成させて、この新たに生成させたａｌｂｕｍフォルダＦｏ３Ｃを転送先フォルダとして設定してもよい。
【００５８】
ここで、ａｌｂｕｍフォルダＦｏ３Ｃを転送先フォルダとして設定する場合、音楽再生端末１３は、例えば、転送する音楽データに付加されている関連情報のアルバム名をもとに、携帯型音楽再生装置１４にａｌｂｕｍフォルダＦｏ３Ｃを生成させる。すなわち、この場合、例えば、転送する音楽データに付加されている関連情報のアルバム名をフォルダ名とするａｌｂｕｍフォルダＦｏ３Ｃが新たに生成される。そしてこの新たに生成されたａｌｂｕｍフォルダＦｏ３Ｃに対して音楽データが転送されると、例えば、図１０（Ｂ）に示すように、この音楽データが、ａｌｂｕｍフォルダＦｏ３Ｃ内（「./root/music/album03/」）に新たな音楽ファイルＭｆ１Ｃ（「001.mp3」）として記憶される。
【００５９】
このように音楽再生端末１３は、携帯型音楽再生装置１４が、ある同一階層に生成した複数のフォルダ内に、音楽ファイルＭｆを記憶するようにしてコンテンツ管理するようになされている場合も、ユーザに何ら煩わしい操作を行わせることなく、携帯型音楽再生装置１４のコンテンツ管理を自動的に認識して、このコンテンツ管理に応じたフォルダ（ここでは、ｍｕｓｉｃフォルダＦｏ２の１階層下のフォルダ）に音楽データを転送することができる。
【００６０】
（２）第２の実施の形態
次に、本発明の第２の実施の形態を詳述する。この第２の実施の形態においては、音楽再生端末１３及び携帯型音楽再生装置１４による転送処理手順が異なる点以外、上述した第１の実施の形態と同様であるので、同様部分であるシステム構成、音楽再生端末１３及び携帯型音楽再生装置１４の構成などの説明は省略する。
【００６１】
この第２の実施の形態では、音楽再生端末１３が、音楽データの転送前に、携帯型音楽再生装置１４で再生可能な音楽ファイルＭｆのフォーマットを検出して、転送する音楽データを、この携帯型音楽再生装置１４で再生可能なフォーマットに変換してから転送するようになされており、以下、このようなフォーマットの検出及び変換を含めた転送処理手順について、図１１のシーケンスチャートを用いて説明する。ちなみに、この転送処理手順の開始前に、音楽再生端末１３と携帯型音楽再生装置１４とが接続された状態であり、さらに携帯型音楽再生装置１４には、記憶媒体３１のｍｕｓｉｃフォルダＦｏ２内（「./root/music/」）にＭＰ３（MPEG Audio Layer-3）フォーマットで圧縮符号化された音楽ファイルＭｆ１（「001.mp3」）、Ｍｆ２（「002.mp3」）、Ｍｆ３（「003.mp3」）が既に記憶されているとする。
【００６２】
図１１に示すように、音楽再生端末１３の制御部２０は、記憶媒体２１に記憶保持している音楽データのなかから携帯型音楽再生装置１４に転送する音楽データが指定された状態で、この音楽データを転送するようユーザ操作が行われたことを認識すると、ステップＳＰ１０において、携帯型音楽再生装置１４に対して記憶媒体３１に記憶されている音楽ファイルＭｆを検索するよう要求する検索要求を送る。
【００６３】
携帯型音楽再生装置１４の制御部３０は、音楽再生端末１３から検索要求を受けると、ステップＳＰ１１において、この検索要求に応じて記憶媒体３１から音楽ファイルＭｆを検索して、次のステップＳＰ１２に移る。ステップＳＰ１２において、携帯型音楽再生装置１４は、検索の結果見つかった音楽ファイルＭｆ１（「001.mp3」）、Ｍｆ２（「002.mp3」）及びＭｆ３（「003.mp3」）のそれぞれの絶対パス「./root/music/001.mp3」、「./root/music/002.mp3」及び「./root/music/003.mp3」を検索結果として、音楽再生端末１３に返す。
【００６４】
音楽再生端末１３の制御部２０は、携帯型音楽再生装置１４から検索結果が返されると、ステップＳＰ１３において、この検索結果が示す絶対パス「./root/music/001.mp3」、「./root/music/002.mp3」及び「./root/music/003.mp3」から、携帯型音楽再生装置１４で検索された音楽ファイルＭｆ１（「001.mp3」）、Ｍｆ２（「002.mp3」）及びＭｆ３（「003.mp3」）が、絶対パス「./root/music/」により示されるｍｕｓｉｃフォルダＦｏ２内に記憶されていると判断すると共に、これら絶対パスに含まれる音楽ファイルＭｆ１、Ｍｆ２及びＭｆ３の拡張子「mp3」から、音楽ファイルＭｆ１、Ｍｆ２及びＭｆ３のフォーマットがＭＰ３フォーマットであると判断して、次のステップＳＰ１４に移る。
【００６５】
このように音楽再生端末１３の制御部２０は、携帯型音楽再生装置１４に既に記憶されている音楽ファイルＭｆの絶対パスを解析することで、帯型音楽再生装置１４での音楽ファイルＭｆの記憶場所がｍｕｓｉｃフォルダＦｏ２であること、及び携帯型音楽再生装置１４で確実に再生可能な音楽ファイルＭｆのフォーマットがＭＰ３フォーマットであることを認識するようになされている。
【００６６】
ステップＳＰ１４において、音楽再生端末１３の制御部２０は、ステップＳＰ１３で認識したｍｕｓｉｃフォルダＦｏ２を、転送する音楽データの転送先フォルダに設定すると共に、ステップＳＰ１３で認識したＭＰ３フォーマットを、転送フォーマットに設定して、次のステップＳＰ１５に移る。ステップＳＰ１５において、音楽再生端末１３の制御部２０は、携帯型音楽再生装置１４に転送するよう指定された音楽データを記憶媒体２１から読み出し、この音楽データのフォーマットが、ステップＳＰ１４で設定した転送フォーマット（すなわちＭＰ３フォーマット）であるか否かを判定する。
【００６７】
このステップＳＰ１５で否定結果を得ると、このことは、携帯型音楽再生装置１４に転送するよう指定された音楽データのフォーマットが、ＭＰ３フォーマット以外の例えばＡＴＲＡＣ３（登録商標）フォーマットであることを表しており、このとき音楽再生端末１３の制御部３０は、ステップＳＰ１６に移り、携帯型音楽再生装置１４に転送するよう指定されたＡＴＲＡＣ３（登録商標）フォーマットの音楽データを、音声処理部２６に入力して再エンコード（圧縮符号化）処理などを施すことによりＭＰ３フォーマットの音楽データに変換し、次のステップＳＰ１７に移る。
【００６８】
ステップＳＰ１７において、音楽再生端末１３の制御部２０は、ＭＰ３フォーマットに変換した音楽データを、転送先フォルダに設定した携帯型音楽再生装置１４のｍｕｓｉｃフォルダＦｏ２に転送する。この結果、ステップＳＰ１８において、音楽再生端末１３から転送されてきたＭＰ３フォーマットの音楽データが、携帯型音楽再生装置１４のｍｕｓｉｃフォルダＦｏ２内に音楽ファイルＭｆとして記憶される。
【００６９】
これに対してステップＳＰ１５で肯定結果を得ると、このことは、携帯型音楽再生装置１４に転送するよう指定された音楽データのフォーマットが、携帯型音楽再生装置１４で再生可能なＭＰ３フォーマットであることを表しており、このとき音楽再生端末１３の制御部３０は、ステップＳＰ１７に移る。
【００７０】
ステップＳＰ１７において音楽再生端末１３の制御部２０は、ＭＰ３フォーマットの音楽データを、転送先フォルダに設定した携帯型音楽再生装置１４のｍｕｓｉｃフォルダＦｏ２に転送する。この結果、ステップＳＰ１８において、音楽再生端末１３から転送されてきたＭＰ３フォーマットの音楽データが、携帯型音楽再生装置１４のｍｕｓｉｃフォルダＦｏ２内に音楽ファイルＭｆとして記憶される。
【００７１】
このような転送処理手順によって、音楽再生端末１３の制御部２０及び携帯型音楽再生装置１４の制御部３０は、音楽再生端末１３から携帯型音楽再生装置１４へ音楽データを転送するようになされている。
【００７２】
このように、この第２の実施の形態の音楽再生端末１３では、転送先フォルダの設定だけではなく、携帯型音楽再生装置１４に既に記憶されている音楽ファイルＭｆの拡張子を解析することにより、携帯型音楽再生装置１４で再生可能な音楽ファイルＭｆのフォーマットを認識して、携帯型音楽再生装置１４に転送する音楽データのフォーマットが、携帯型音楽再生装置１４で再生可能なフォーマットと異なる場合には、転送する音楽データを携帯型音楽再生装置１４で再生可能なフォーマットの音楽データに変換してから転送するようにした。
【００７３】
これにより、音楽再生端末１３は、携帯型音楽再生装置１４に転送した音楽データが、携帯型音楽再生装置１４で再生できなくなる状況を回避することができ、結果として、転送した音楽データを一段と確実に携帯型音楽再生装置１４で再生できるようにすることができる。
【００７４】
また、この第２の実施の形態では、音楽再生端末１３が、携帯型音楽再生装置１４に既に記憶されている音楽ファイルＭｆの拡張子を解析することにより、携帯型音楽再生装置１４で再生可能な音楽ファイルＭｆのフォーマットを認識して転送フォーマットを設定するようにした場合について述べたが、これに限らず、例えば、携帯型音楽再生装置１４に記憶されている音楽ファイルＭｆに、予めこの音楽ファイルＭｆのフォーマットと、ビットレートなどのフォーマットに関するパラメータとを示す関連情報が付加されている場合、この関連情報をもとに、転送フォーマットを設定するようにしてもよい。
【００７５】
この場合、音楽再生端末１３は、例えば、携帯型音楽再生装置１４から音楽ファイルＭｆの絶対パスが返された後に、この絶対パスに基づき、携帯型音楽再生装置１４から音楽ファイルＭｆに付加された関連情報を読み出すようにすればよい。
【００７６】
こうすることで、音楽再生端末１３は、携帯型音楽再生装置１４に既に記憶されている音楽ファイルＭｆの拡張子から、この音楽ファイルＭｆのフォーマットを認識するよりも、一段と正確にこの音楽ファイルＭｆのフォーマットを認識することができるので、転送した音楽データをさらに一段と確実に携帯型音楽再生装置１４で再生できるようにすることができる。また、このように音楽再生端末１３は、携帯型音楽再生装置１４に既に記憶されている音楽データＭｆのフォーマットとそのパラメータとに基づいて、転送フォーマットを設定するので、例えばユーザが音楽データの音質を優先して、高ビットレートの音楽ファイルＭｆを携帯型音楽再生装置１４に記憶させているのであれば、これに応じて高ビットレートの音楽データを転送することができ、一方で、ユーザが音楽データの数（つまり曲数）を優先して、低ビットレートの音楽ファイルＭｆを携帯型音楽再生装置１４に記憶させているのであれば、これに応じて低ビットレートの音楽データを転送することもできる。すなわち、音楽再生端末１３は、転送する音楽データを、携帯型音楽再生装置１４に既に記憶されている音楽データＭｆと同フォーマット、同音質の音楽データに変換して転送することもできる。
【００７７】
またこの場合、例えば、携帯型音楽再生装置１４に既に記憶されている、あるフォーマットの音楽データＭｆのなかで、最も高ビットレートの音楽ファイルＭｆと同じビットレートに音楽データを変換して転送するようにしてもよい。
【００７８】
（３）他の実施の形態
なお、上述の第１及び第２の実施の形態においては、音楽再生端末１３から携帯型音楽再生装置１４への音楽データの転送に、本発明を適用するようにした場合について述べたが、本発明はこれに限らず、この他種々の機器間のコンテンツデータの転送に、本発明を適用することができる。すなわち、例えば映像データを記憶する映像記憶機器から、映像データを再生する映像再生機器に映像データを転送する場合に本発明を適用することもできるし、プログラムを記憶するサーバから、プログラムを実行するパーソナルコンピュータにプログラムを転送する場合に本発明を適用することもできる。
【００７９】
さらに、本発明は、各種コンテンツデータを記憶するパーソナルコンピュータと、このパーソナルコンピュータに外部接続されたハードディスクなどの外部記憶装置との間で行うコンテンツデータの転送にも適用することができる。この場合、外部記憶装置は、パーソナルコンピュータに接続されると、この接続されたパーソナルコンピュータの制御部に制御を委ねるので、携帯型音楽再生装置１４の制御部３０のような制御部を必要としない。よって、この場合、パーソナルコンピュータの制御部は、内蔵の記憶媒体を第１の記憶媒体、外部接続された外部記憶装置を第２の記憶媒体と認識して、上述の転送処理手順の全て（すなわち図８のステップＳＰ１〜ＳＰ７、及び図１１のステップＳＰ１０〜ＳＰ１８）をパーソナルコンピュータ側で処理する。
【００８０】
さらに、上述の第１及び第２の実施の形態においては、音楽再生端末１３が、携帯型音楽再生装置１４に記憶されている音楽ファイルＭｆの記憶場所を検出して、この検出した記憶場所であるフォルダを自動的に転送先フォルダに設定するようにした場合について述べたが、本発明はこれに限らず、音楽再生端末１３が、検出したフォルダを、転送先フォルダを指定する際の選択肢としてユーザに呈示し、ユーザ自身に転送先フォルダを指定させるようにしてもよい。
【００８１】
この場合、音楽再生端末１３は、携帯型音楽再生装置１４から音楽ファイルＭｆを記憶しているフォルダを検出した後、例えば、図１２に示すように、転送先フォルダをユーザに指定させるための転送先指定画面４０を表示部２７に表示する。この転送先指定画面４０には、ユーザが転送先フォルダを指定する際の選択肢となるフォルダを絶対パスで表示する選択肢表示部４１と、選択肢表示部４１に表示したフォルダのうちの選択されているフォルダの絶対パスを表示する選択パス表示部４２と、選択パス表示部４２に表示されている絶対パスを、転送先フォルダの絶対パスとして決定するための決定ボタン４３とが設けられている。
【００８２】
選択肢表示部４１には、音楽再生端末１３が携帯型音楽再生装置１４から音楽ファイルＭｆの記憶場所として検出したフォルダの絶対パス（例えば「./root/music/album01」及び「./root/music/album02」）が表示される。ちなみに、この選択肢表示部４１には、音楽ファイルＭｆの記憶場所として検出したフォルダの絶対パスにくわえて、この検出したフォルダの１階層上のフォルダの絶対パス（例えば「./root/music」）や、デフォルトの転送先フォルダとして設定されているフォルダの絶対パス（例えば「./root」）などが選択肢として表示されるようになされていてもよい。また選択パス表示部４２は、選択肢表示部４１で選択されたフォルダの絶対パスを表示すると共に、この表示した絶対パスをユーザが編集できるようになされている。
【００８３】
これにより音楽再生端末１３は、転送先フォルダの選択肢をユーザに呈示して、この選択肢のなかから、転送先フォルダをユーザに指定させることができ、またユーザに転送先フォルダの選択肢を呈示したうえで、この選択肢に含まれるフォルダ以外のフォルダを転送先フォルダとして指定させることもできる。このようにすることで、音楽再生端末１３は、例えば、携帯型音楽再生装置１４から、音楽ファイルＭｆの記憶場所として複数のフォルダを検出した場合に、この検出した複数のフォルダのひとつを転送先フォルダとして容易にユーザに選択させることができ、また携帯型音楽再生装置１４のコンテンツ管理を十分把握しているユーザに対しては、転送先フォルダの設定の自由度を高めることもできる。
【００８４】
さらに上述の第１及び第２の実施の形態においては、図６や図９で説明したように、携帯型音楽再生装置１４にＭＰ３フォーマットでなる１フォーマットの音楽ファイルＭｆしか記憶されていない場合について述べたが、例えば、ＭＰ３フォーマットでなる音楽ファイルＭｆとＡＴＲＡＣ３（登録商標）フォーマットでなる音楽ファイルＭｆとのような複数フォーマットの音楽ファイルＭｆが携帯型音楽再生装置１４に記憶されている場合、音楽再生端末１３が、音楽データの転送先フォルダを、転送する音楽データと同じフォーマットの音楽ファイルＭｆが記憶されているフォルダに設定するようにしてもよい。
【００８５】
例えば、図１３に示すように、携帯型音楽再生装置１４の記憶媒体３１には、そのｍｐ３フォルダＦｏ３Ｄ内にＭＰ３フォーマットの音楽ファイルＭｆ１Ｄ及びＭｆ２Ｄが記憶されていると共に、ａｔｒフォルダＦｏ３Ｅ内にＡＴＲＡＣ３（登録商標）フォーマットの音楽ファイルＭｆ１Ｅ及びＭｆ２Ｅが記憶されているとする。このような状況下で、音楽再生端末１３は、例えば、転送する音楽データがＭＰ３フォーマットである場合、携帯型音楽再生装置１４からＭＰ３フォーマットの音楽ファイルＭｆ１Ｄ及びＭｆ２Ｄが記憶されているｍｐ３フォルダＦｏ３Ｄを検出して、この検出したｍｐ３フォルダＦｏ３Ｄを転送先フォルダに設定する。一方で、転送する音楽データがＡＴＲＡＣ３（登録商標）フォーマットである場合、音楽再生端末１３は、携帯型音楽再生装置１４からＡＴＲＡＣ３（登録商標）フォーマットの音楽ファイルＭｆ１Ｅ及びＭｆ２Ｅが記憶されているａｔｒフォルダＦｏ３Ｅを検出して、この検出したａｔｒフォルダＦｏ３Ｅを転送先フォルダに設定する。
【００８６】
これにより音楽再生端末１３は、転送先フォルダを、転送する音楽データと同じフォーマットの音楽ファイルＭｆが記憶されているフォルダに設定することができ、結果として、携帯型音楽再生装置１４のコンテンツ管理に応じたフォルダに音楽データを転送することができる。
【００８７】
このように、携帯型音楽再生装置１４に複数フォーマットの音楽ファイルＭｆが記憶されている可能性がある場合、音楽再生端末１３は、例えば転送する音楽データのフォーマットと同じフォーマットの音楽ファイルＭｆと、このフォーマットから変換可能なフォーマットの音楽ファイルＭｆとを携帯型音楽再生装置１４に検索させて、この検索の結果、転送する音楽データのフォーマットと同じフォーマットの音楽ファイルＭｆが見付かれば、この見付かった音楽ファイルＭｆが記憶されているフォルダを転送先フォルダに設定し、一方で、転送する音楽データのフォーマットと同じフォーマットの音楽ファイルＭｆは見付からなかったものの、転送する音楽データのフォーマットから変換可能なフォーマットの音楽ファイルＭｆが見付かれば、この見付かった音楽ファイルＭｆが記憶されているフォルダを転送先フォルダに設定するようにしてもよい。
【００８８】
また、このようにすることは、複数フォーマットの音楽データを転送、記憶する音楽転送システム１０にだけではなく、音楽データと映像データ、映像データとプログラムなど、複数種類のコンテンツデータを転送、記憶するコンテンツ転送システムにも広く適用することができる。
【００８９】
さらに、上述の第１及び第２の実施の形態においては、音楽再生端末１３が、携帯型音楽再生装置１４に音楽データを転送する際に、携帯型音楽再生装置１４に既に記憶されている音楽ファイルＭｆの記憶場所であるフォルダを検出するようにした場合について述べたが、本発明はこれに限らず、例えば、携帯型音楽再生装置１４が接続されたことを確認した時点で、携帯型音楽再生装置１４に既に記憶されている音楽ファイルＭｆの記憶場所であるフォルダを検出するようにしてもよい。
【００９０】
また、音楽再生装置１３では、携帯型音楽再生装置１４に音楽データを転送する度に、あるいは携帯型音楽再生装置１４が接続されたことを確認する度に、毎回、携帯型音楽再生装置１４に既に記憶されている音楽ファイルＭｆの記憶場所であるフォルダを検出して転送先フォルダを設定しなくとも、例えば、初めて携帯型音楽再生装置１４に音楽データを転送するときに設定した転送先フォルダの絶対パスを、携帯型音楽再生装置１４から取得した機器ＩＤに紐付けて記憶媒体２１に記憶しておき、次回に同じ機器ＩＤの携帯型音楽再生装置１４に音楽データを転送するときには、記憶媒体２１から機器ＩＤをもとに読み出した絶対パスが示す転送先フォルダに音楽データを転送するようにしてもよい。
【００９１】
こうすることで、最初に一度だけ、携帯型音楽再生装置１４に既に記憶されている音楽ファイルＭｆの記憶場所であるフォルダを検出して転送先フォルダを設定すれば、それ以降、転送先フォルダの設定を省略することができるので、実質、音楽データの転送処理にかかる時間を短縮することができる。また、転送先フォルダだけでなく、転送フォーマットも携帯型音楽再生装置１４の機器ＩＤに紐付けて記憶媒体２１に記憶しておくようにしてもよい。
【００９２】
さらに、上述の第１の実施の形態においては、転送する音楽データに付加されている関連情報のアルバム名をもとに、新たなａｌｂｕｍフォルダＦｏ３Ｃを生成するようにした場合について述べたが、本発明はこれに限らず、関連情報に含まれる他の情報（タイトル、アーティスト名など）をもとに、新たなフォルダを生成してもよい。
【００９３】
さらに、上述の第１の実施の形態においては、携帯型音楽再生装置１４が、記憶媒体３１に対して、ｒｏｏｔフォルダＦｏ１内にｍｕｓｉｃフォルダＦｏ２を生成するようにした階層的なフォルダ構成を構築している場合について述べたが、本発明はこれに限らず、例えば、記憶媒体３１に対して、さらに複数の階層でなるフォルダ構成が構築されていてもよいし、例えばｒｏｏｔフォルダＦｏ１だけのフォルダ構成（すなわち階層的でないフォルダ構成）が構築されていてもよい。このような場合でも、本発明によれば、携帯型音楽再生装置１４のコンテンツ管理に応じたフォルダに音楽データを転送することができる。
【００９４】
さらに、上述の第１及び第２の実施の形態においては、携帯型音楽再生装置１４の記憶媒体３１が、ハードディスクである場合について述べたが、本発明はこれに限らず、この記憶媒体３１が、例えば、不揮発性メモリ等、この他種々のストレージデバイスであってもよい。また、この記憶媒体３１が、携帯型音楽再生装置１４に対して抜き差し可能なカード型（いわゆるメモリカード）であってもよい。
【００９５】
さらに上述の第１及び第２の実施の形態においては、音楽ファイルＭｆの記憶場所となるフォルダが、異なる階層から複数検出された場合については、特に言及していないが、この場合、例えば、上述の転送先指定画面４０を介して、検出された複数のフォルダのうちのいずれかを転送先フォルダとしてユーザに指定させてもよいし、記憶されている音楽ファイルＭｆの数が最も多いフォルダを転送先フォルダに設定するようにしてもよい。
【００９６】
さらに、上述の第２の実施の形態においては、音楽再生端末１３が、携帯型音楽再生装置１４に既に記憶されている音楽ファイルＭｆに付加された関連情報をもとに、この音楽ファイルＭｆのフォーマットとそのパラメータとを認識して、音楽データの転送フォーマットを設定するようにした場合について述べたが、本発明はこれに限らず、例えば、映像データを記憶する映像記憶装置が、転送先となる映像再生装置に既に記憶されている映像ファイルに付加された関連情報をもとに、この映像ファイルのフォーマットとそのパラメータとを認識して、映像データの転送フォーマットを設定するようにしてもよい。ちなみに、この場合、映像ファイルの関連情報には、フォーマットのパラメータとして、例えば、解像度、フレームレート、ビットレートなどの情報が含まれているとする。これにより、映像記憶装置は、転送する映像データを、映像再生装置に既に記憶されている映像ファイルと同フォーマット、同画質の映像データに変換して転送することができる。
【００９７】
さらに上述の第１及び第２の実施の形態においては、音楽再生端末１３の制御部２０及び携帯型音楽再生装置１４の制御部３０が、予めインストールされているプログラムに従って、上述した転送処理手順を実行する場合について述べたが、本発明はこれに限らず、この転送処理手順を実行するためのプログラムを、ＣＤ（Compact Disc）などの記録媒体に記録しておき、この記録媒体からプログラムを読み出すようにしてもよい。
【００９８】
さらに上述した実施の形態においては、音楽再生端末１３を、制御部２０、記憶媒体２１、読出専用記憶部２２、一次記憶部２３、操作部２４、通信部２５、音声処理部２６、表示部２７、音声出力部２８、及び外部接続部２９で構成するようにした場合について述べたが、本発明はこれに限らず、同様の機能を有するのであれば、この他種々の構成で、音楽再生端末１３を構成するようにしてもよい。
【００９９】
ちなみに、図１に示した転送装置１の記憶部２は図３に示した音楽再生端末１３の記憶媒体２１に相当し、転送装置１の通信部３（図１）は音楽再生端末１３の外部接続部２９（図４）に相当し、制御部４（図１）は制御部２０（図４）に相当、表示部５（図１）は表示部２７（図３）に相当、変換部６（図１）は音声処理部２６（図３）に相当するものである。
【産業上の利用可能性】
【０１００】
本発明は、パーソナルコンピュータやハードディスクレコーダなどのコンテンツデータを転送する転送装置に利用することができる。
【図面の簡単な説明】
【０１０１】
【図１】転送装置の概要を示す略線図である。
【図２】音楽転送システムの構成を示す略線図である。
【図３】音楽再生端末の構成を示す略線図である。
【図４】携帯型音楽再生装置の構成を示す略線図である。
【図５】フォルダ構成を示す略線図である。
【図６】転送前のフォルダ内容を示す略線図である。
【図７】転送後のフォルダ内容を示す略線図である。
【図８】第１の実施の形態による転送処理手順を示すシーケンスチャートである。
【図９】同一階層の複数フォルダに音楽ファイルが記憶されている場合を示す略線図である。
【図１０】同一階層の複数フォルダに音楽ファイルが記憶されている場合の転送先フォルダの設定を示す略線図である。
【図１１】第２の実施の形態による転送処理手順を示すシーケンスチャートである。
【図１２】他の実施の形態による転送先指定画面の構成を示す略線図である。
【図１３】複数フォーマットの音楽ファイルが記憶されている場合を示す略線図である。
【符号の説明】
【０１０２】
１……転送装置、２……記憶部、３、２５……通信部、４、２０、３０……制御部、５、２７、３８……表示部、６……変換部、１０……音楽転送システム、１３……音楽再生端末、１４……携帯型音楽再生装置、２１、３１……記憶媒体、２６、３６……音声処理部、２９、３５……外部接続部、Ｆｏ……フォルダ、Ｍｆ……音楽ファイル、４０……転送先指定画面。
【図１】
2007164852.tif 000003
【図２】
2007164852.tif 000004
【図３】
2007164852.tif 000005
【図４】
2007164852.tif 000006
【図５】
2007164852.tif 000007
【図６】
2007164852.tif 000008
【図７】
2007164852.tif 000009
【図８】
2007164852.tif 000010
【図９】
2007164852.tif 000011
【図１０】
2007164852.tif 000012
【図１１】
2007164852.tif 000013
【図１２】
2007164852.tif 000014
【図１３】
2007164852.tif 000015